(57)【特許請求の範囲】
【請求項１】
プラテンガラス上に載置された原稿に光源ランプの光を照射し、その反射光を捕捉して該原稿に形成された画像を読み取る画像読取装置の、前記プラテンガラスを所定の位置に設定する画像読取装置のプラテンガラス位置決め方法において、
プラテンガラスの表面に原稿の位置を案内するガイド手段を取り付け、
プラテンガラスの一端部を、該プラテンガラスを装置本体に対して固定すると共に、原稿の位置を案内するガラス保持手段に連繋させ、
プラテンガラスを装置本体に取り付け、所定の原稿を所定の位置に設置した状態で画像を読み取らせ、
プラテンガラスをずらしながら、前記所定の原稿から画像データを取得し、
所定の画像データが得られる位置で、プラテンガラスの他端部に係脱自在に連繋する位置決め手段を、プラテンガラスに係合した状態で装置本体に固定し、前記ガラス保持手段でプラテンガラスを位置決め手段に押圧することによりプラテンガラスの位置決めを行うことを特徴とする画像読取装置のプラテンガラス位置決め方法。
【請求項２】
プラテンガラス上に載置された原稿に光源ランプの光を照射し、その反射光を捕捉して該原稿に形成された画像を読み取る画像読取装置の、前記プラテンガラスを所定の位置に設定する画像読取装置のプラテンガラス位置決め装置において、
プラテンガラスの表面に取り付られて、原稿の位置を案内するガイド手段と、
プラテンガラスの一端部に連繋し、該プラテンガラスを装置本体に対して固定すると共に、原稿の位置を案内するガラス保持手段と、
装置本体に固定され、プラテンガラスの他端部に係脱自在に連繋して、該プラテンガラスの位置を一定位置に設定する位置決め手段とからなり、
プラテンガラスの所定の位置に所定の原稿を載置させ、プラテンガラスをずらして、該所定の原稿から所定の原稿の画像データが得られた位置で前記位置決め手段を装置本体に固定し、前記ガラス保持手段でプラテンガラスを装置本体に保持させると共に、プラテンガラスを前記位置決め手段に押圧することを特徴とする画像読取装置のプラテンガラス位置決め装置。
【請求項３】
前記位置決め手段は、略Ｌ字形をして、該Ｌ字形の内側にプラテンガラスの角部を当接させてなることを特徴とする請求項２に記載の画像読取装置のプラテンガラス位置決め装置。
【請求項４】
装置本体に取り付けられたプラテンガラスの側端縁の一部に連繋する位置決め補助手段を設けたことを特徴とする請求項２または請求項３に記載した画像読取装置のプラテンガラス位置決め装置。
【請求項５】
前記ガイド手段は、プラテンガラスの表面に貼着されて取り付けられることを特徴とする請求項２または請求項３に記載の画像読取装置のプラテンガラス位置決め装置。
【発明の詳細な説明】
【０００１】
【発明の属する技術分野】
この発明は、光源ランプの光をプラテンガラス上に載置させた原稿に照射して、その反射光から原稿に形成された画像に関するデータを読み取る原稿静止型の画像読取装置に関するもので、特に、プラテンガラスの位置決め構造に関する。
【０００２】
【従来の技術】
複写機やスキャナ等、紙面等に表された原稿の画像データを読み取って各種の処理に提供する画像読取装置は、原稿に蛍光灯等の光源ランプから光を照射し、その反射光をＣＣＤ等の光電変換デバイスを備えた受光部に入射させるようにしてある。原稿静止型の画像読取装置では、プラテンガラス上に載置された原稿に対して前記光源ランプを移動させながらその光を照射する。しかも、原稿から受光部に至る光路長を、原稿に対する照射位置が変化した場合であっても一定に保つ必要から、反射光を受光部に導くために具備させた反射鏡等も光源ランプと共に原稿に沿って移動させるようにしてある。
【０００３】
光源ランプや反射鏡等の移動開始位置は、原稿の大きさ等と無関係に一定とされている。このため、プラテンガラス上に載置される原稿は所定の位置にセットされなければ、該原稿に形成された画像の読み取り開始位置が、画像の端部位置と異なってしまって、原稿全域の画像を読み取れなくなってしまうおそれがある。また、光源ランプや反射鏡等は一定の方向へ移動するから、この移動方向に対して原稿が傾いている場合には、傾いた画像が捕捉されることになる。このため、原稿の端部から画像を読み取れるように、かつ原稿が傾いた状態とならないように、プラテンガラス上の所定の位置に原稿がセットされるようにしなければならない。
【０００４】
従来のこの原稿の位置決めには、原稿をプラテンガラス上に載置する場合に、該原稿の端部を突き当てるガイド部材を備えた構造が採用されており、例えば特開２０００−２５８８５７号公報に記載された原稿ガイドがある。この原稿ガイドは、原稿突き当て基準となる基準端縁を備えた細幅板状部と、該細幅板状部の他端縁に突設された取付け片と、から構成し、取付け片には、ネジ穴と、Ｕ字穴及びテーパー形状部を形成し、装置側フレームの上面に形成した開口部周縁適所には取付け片のネジ穴と整合するネジ穴と、Ｕ字穴内に着座する突起を所定の配置で形成し、テーパー形状部は、Ｕ字穴と連通し、Ｕ字穴から離間するほど内径が漸増するように構成したものである。そして、原稿を載置するプラテンガラス（コンタクトガラス）は、端縁の一部が上記細幅板状部の基準端縁と重畳するように取り付けられる。
【０００５】
この原稿ガイドを備えた画像読取装置で原稿の画像を読み取る際には、原稿の端部を前記細幅板状部の基準端縁に突き当ててセットすることになる。
【０００６】
【発明が解決しようとする課題】
上述した特開２０００−２５８８５７号公報に記載された原稿ガイドでは、装置側フレームに形成した突起を細幅板状部をＵ字穴内に着座させて該細幅板状部の位置決めを行っている。しかしながら、この突起は装置フレームに形成されているものであるため、次のような問題が生じるおそれがある。前述したように、原稿のセット位置は光源ランプや反射鏡の移動開始位置によって定められる。この光源ランプ等の移動開始位置を高精度に設定する場合には、装置フレームや各部品などの加工精度を高くする必要があり、加工コストが上昇してしまう。このため、移動開始位置の設定精度にある程度の許容範囲を設け、原稿のセット位置を調整することによって原稿の端部と移動開始位置とを調整している。この調整を行えるようにするため、前記突起とＵ字穴との間には遊びが形成されなければならない。したがって、プラテンガラスや原稿ガイドを取り外した後に、組み付け直す場合には該原稿位置決めガイドの固定位置に調整が必要となり、その作業の手間がかかるおそれがある。
【０００７】
そこで、この発明は、プラテンガラスや原稿位置決めガイドを取り外して、組み付け直す場合であっても、原稿位置決めガイドの固定位置の調整等の作業を必要とせず、容易にかつ高精度にこれらの位置決めを行って組み付けることができる画像読取装置のプラテンガラス位置決め方法及びプラテンガラス位置決め装置を提供することを目的としている。
【０００８】
【課題を解決するための手段】
前記の目的を達成するための技術的手段として、この発明に係る画像読取装置のプラテンガラス位置決め方法は、プラテンガラス上に載置された原稿に光源ランプの光を照射し、その反射光を捕捉して該原稿に形成された画像を読み取る画像読取装置の、前記プラテンガラスを所定の位置に設定する画像読取装置のプラテンガラス位置決め方法において、プラテンガラスの表面に原稿の位置を案内するガイド手段を取り付け、プラテンガラスの一端部を、該プラテンガラスを装置本体に対して固定すると共に、原稿の位置を案内するガラス保持手段に連繋させ、プラテンガラスを装置本体に取り付け、所定の原稿を所定の位置に設置した状態で画像を読み取らせ、プラテンガラスをずらしながら、前記所定の原稿から画像データを取得し、所定の画像データが得られる位置で、プラテンガラスの他端部に係脱自在に連繋する位置決め手段を、プラテンガラスに係合した状態で装置本体に固定し、前記ガラス保持手段でプラテンガラスを位置決め手段に押圧することによりプラテンガラスの位置決めを行うことを特徴としている。
【０００９】
プラテンガラスを既に光学的な調整が完了している装置本体に、該プラテンガラスを保持している前記ガラス保持手段を仮止めしてプラテンガラスを取り付ける。前記ガイド手段とガラス保持手段に案内させてテストチャート等の所定の原稿をプラテンガラスに載置する。この原稿の画像データを取得し、所定の画像データと比較する。取得される画像データが所定の画像データと略一致するようにプラテンガラスをずらしながら、原稿の位置を調整する。所定の画像データが得られた状態で、前記位置決め手段を装置本体に固定する。また、プラテンガラスを保持しているガラス保持手段を、該ガラス保持手段でプラテンガラスを位置決め手段に押圧しながら固定する。この状態で、プラテンガラスは、装置本体との関係で所定の画像データを取得できるように位置することになる。
【００１０】
補修等でプラテンガラスを外す場合には、前記ガラス保持手段を装置本体から取り外せば、プラテンガラスを取り外すことができる。プラテンガラスを取り付ける場合には、プラテンガラスを前記位置決め手段に連繋させた状態にして、前記ガラス保持手段を取り付けて装置本体に固定すれば、プラテンガラスは取り外される前の位置に設定されるので、以後も所定の画像データを得ることができる。
【００１１】
また、請求項２の発明に係る画像読取装置のプラテンガラス位置決め装置は、プラテンガラス上に載置された原稿に光源ランプの光を照射し、その反射光を捕捉して該原稿に形成された画像を読み取る画像読取装置の、前記プラテンガラスを所定の位置に設定する画像読取装置のプラテンガラス位置決め装置において、プラテンガラスの表面に取り付られて、原稿の位置を案内するガイド手段と、プラテンガラスの一端部に連繋し、該プラテンガラスを装置本体に対して固定すると共に、原稿の位置を案内するガラス保持手段と、装置本体に固定され、プラテンガラスの他端部に係脱自在に連繋して、該プラテンガラスの位置を一定位置に設定する位置決め手段とからなり、プラテンガラスの所定の位置に所定の原稿を載置させ、プラテンガラスをずらして、該所定の原稿から所定の原稿の画像データが得られた位置で前記位置決め手段を装置本体に固定し、前記ガラス保持手段でプラテンガラスを装置本体に保持させると共に、プラテンガラスを前記位置決め手段に押圧することを特徴としている。
【００１２】
プラテンガラスを保持させたガラス保持手段を、既に光学的な調整が完了している装置本体に、止めネジ等を適宜に締め付けることによって仮止めする。このプラテンガラスにテストチャート等の所定の原稿を前記ガイド手段とガラス保持手段に案内させて載置する。プラテンガラスをずらしながら、取得された画像データが所定の画像データと略一致した状態で、前記位置決め手段を装置本体に固定する。この固定された前記位置決め手段にプラテンガラスを押圧するように、前記ガラス保持手段を装置本体に、ネジ止めなどによって固定する。これによって、プラテンガラスが所望の位置に設置され、以後は、前記ガイド手段に原稿を案内させてプラテンガラスに載置すれば、所望の画像データを取得することができ。
【００１３】
補修等でプラテンガラスを外す場合には、前記ガラス保持手段を装置本体から取り外せば、プラテンガラスを取り外すことができる。プラテンガラスを取り付ける場合には、プラテンガラスを前記位置決め手段に連繋させた状態にして、前記ガラス保持手段を取り付けて装置本体に固定すれば、プラテンガラスは取り外される前の位置に設定されるので、以後も所定の画像データを得ることができる。
【００１４】
また、請求項３の発明に係る画像読取装置のプラテンガラス位置決め装置は、前記位置決め手段は、略Ｌ字形をして、該Ｌ字形の内側にプラテンガラスの角部を当接させてなることを特徴としている。
【００１５】
プラテンガラスを位置決め手段に連繋させるには、該プラテンガラスの角部を略Ｌ字形の内側に当接させるようにする。このため、プラテンガラスは、２辺がＬ字形の内側の２辺に規制されるので、該プラテンガラスの位置は一義的に定められる。
【００１６】
また、請求項４の発明に係る画像読取装置のプラテンガラス位置決め装置は、装置本体に取り付けられたプラテンガラスの側端縁の一部に連繋する位置決め補助手段を設けたことを特徴としている。
【００１７】
プラテンガラスは、前記位置決め手段と位置決め補助手段との３箇所によって位置決めされる。
【００１８】
また、請求項５の発明に係る画像読取装置のプラテンガラス位置決め装置は、前記ガイド手段は、プラテンガラスの表面に貼着されて取り付けられることを特徴としている。
【００１９】
ガイド手段は、接着剤や両面接着テープ等を用いてプラテンガラスの表面に接着する。
【００２０】
【発明の実施の形態】
以下、図示した好ましい実施の形態に基づいて、この発明に係る画像読取装置のプラテンガラス位置決め方法及びプラテンガラス位置決め装置を具体的に説明する。
【００２１】
図９は、この発明に係るプラテンガラス位置決め装置を備えた画像読取装置１の筺体２を示す概略斜視図である。図示しないキャリッジやその駆動機構等が収容されて装置本体を構成する筺体２の上端に、プラテンガラス３が載置されて取り付けられる。なお、このプラテンガラス３の側方には、原稿を給送させながら該原稿に形成された画像を読み取るための給送原稿用プラテンガラス４が取り付けられている。また、この筺体２には図示しない蓋体が、プラテンガラス３、４を覆うことができるように開閉可能に取り付けられ、そのためのヒンジが取り付けられるヒンジ台座部２ａが設けられている。
【００２２】
図１は筺体２にプラテンガラス３が取り付けられた状態の平面図であり、図２は正面図、図３は左側面図、図４は右側面図である。筺体２の上部は開口されており、この開口を塞ぐ状態にプラテンガラス３が取り付けられる。図５は、筺体２とプラテンガラス３とを分解して示す平面図である。筺体２の上部には正面側天板２ｂと背面側天板２ｃが設けられており、プラテンガラス３はこれら天板２ｂ、２ｃに載置された状態に取り付けられる。
【００２３】
プラテンガラス３には、図６及び図７に示すように、ガイド手段としてのガイドプレート６と規制プレート５とが、接着剤や両面接着テープによって取り付けられている。規制プレート５とガイドプレート６は薄肉の帯板状に形成されており、規制プレート５はプラテンガラス３の幅員方向に沿って、ガイドプレート６はプラテンガラス３の長手方向に沿ってそれぞれ該プラテンガラス３の縁部に沿って取り付けられている。また、これら規制プレート５とガイドプレート６は略直角に取り付けられている。なお、これら規制プレート５とガイドプレート６は、プラテンガラス３の縁部から僅かに内側に位置した部分に取り付けられている。
【００２４】
プラテンガラス３の前記規制プレート５が取り付けられた側とは反対側の端部には、ガラス保持手段としてガラス保持板７が連繋して取り付けられる。このガラス保持板７は、図７に示すように、プラテンガラス７の裏面側に保持爪部７ａを差し込んで、該プラテンガラス３を受けるようにしてある。また、ガラス保持板７は、その長手方向の端部に取り付け部７ｂ、７ｃが形成されており、これら取り付け部７ｂ、７ｃがそれぞれ背面側天板２ｃと正面側天板２ｂとに載置されて、筺体２に取り付けられる。さらに、ガラス保持板７のプラテンガラス３側の端面は、これに原稿を突き当てて原稿の位置決めの案内をするようにしてある。
【００２５】
図１及び図５に示すように、筺体２に取り付けられたプラテンガラス３の前記規制プレート５が取り付けられた側の角部には、位置決め手段としての位置決めブロック８が筺体２の天板２ｂ、２ｃにネジ止めされるようにしてある。この位置決めブロック８は、略Ｌ字形に形成されて、その屈曲部の内側にプラテンガラス３の角部を位置させた状態で、Ｌ字形の内側端面にプラテンガラス３の該角部に連なる２つの端面が一致するようにしてある。また、該プラテンガラス３の前記ガラス保持板７が取り付けられる端部の近傍であって、前記ガイドプレート６が取り付けられた側と反対側の端部に当接して、位置決め補助ブロック９が正面側天板２ｂにネジ止めされるようにしてある。
【００２６】
また、図１に示すように、前記給送原稿用のプラテンガラス４は、ガラス保持板７を挟んでプラテンガラス３の反対側に、該ガラス保持板７に一端縁部が載置されて設けられる。このプラテンガラス４の他端縁部は、筺体２の端縁部に取り付けられたガラス保持板１０に載置されている。
【００２７】
以上により構成されたこの発明の実施形態に係る画像読取装置のプラテンガラス位置決め方法及びプラテンガラス位置決め装置の作用を、以下に説明する。
【００２８】
図６及び図７に示すように、プラテンガラス３に規制プレート５とガイドプレート６を接着剤や両面接着テープによって取り付ける。このとき、これら規制プレート５とガイドプレート６とがプラテンガラス３の端縁と略平行となるようにすると共に、これらが互いに略直角となるように取り付ける。このプラテンガラス３の前記規制プレート５が取り付けられた端部と反対側の端部に、前記ガラス保持板７を取り付ける。このプラテンガラス３を筺体２の天板２ｂ、２ｃに載置し、ガラス保持板７の取り付け部７ｂ、７ｃに止めネジを挿通させて、プラテンガラス３を仮止めする。なお、このとき、筺体２にはキャリッジや光電変換デバイス等が収容され、これらの光学的調整が完了している。
【００２９】
筺体２に取り付けられたプラテンガラス３にテストチャートを載置させて、その画像の画像データを取得する。このとき、テストチャートはガイドプレート６とガラス保持板７とに突き当てる状態にして載置する。そして、取得された画像データと所定の画像データとを比較し、これらの画像データが略一致するように、プラテンガラス３をずらしながら調整する。
【００３０】
取得された画像データが所定の画像データと略一致した状態となったならば、仮止めしていたガラス保持板７を固定する。次いで、前記位置決めブロック８を、そのＬ字形の屈曲部の内側をプラテンガラス３の角部に合わせた状態にして、止めネジによって天板２ｂ、２ｃに固定する。また、前記位置決め補助ブロック９をプラテンガラス３の側端縁の当接させた状態にして正面側天板２ｂに固定する。これにより、プラテンガラス３の位置決めがなされ、所定の画像データを取得することができる。
【００３１】
補修などでプラテンガラス３を外す場合には、ガラス保持板７を外せば、プラテンガラス３を取り外すことができる。取り外したプラテンガラス３を取り付けるには、該プラテンガラス３の規制プレート５が取り付けられた側の角部を前記位置決めブロック８のＬ字形の屈曲部の内側に収めて、ガラス保持板７を取り付けて、プラテンガラス３を位置決めブロック８に押圧する状態にすれば、プラテンガラス３は取り外す前と同じ位置に取り付けられる。また、破損などによってプラテンガラス３を交換する場合でも、位置決めブロック８によって位置決めされるので、原稿を所定の位置に載置させて画像データを取得することができる。
【００３２】
【発明の効果】
以上説明したように、請求項１の発明に係る画像読取装置のプラテンガラス位置決め方法または請求項２の発明に係る画像読取装置のプラテンガラス位置決め装置によれば、プラテンガラスを取り外して、取り付けた場合でも、プラテンガラスが取り外す前の位置に設定されるので、取付後において位置の調整を行う必要がない。したがって、画像読取装置の補修作業を簡便に、かつ短時間で行うことができる。
【００３３】
また、請求項３の発明に係る画像読取装置のプラテンガラス位置決め装置によれば、プラテンガラスの角部を位置決め手段のＬ字形の屈曲部の内側に差し込めば該プラテンガラスの位置決めを行えるので、プラテンガラスの取付作業が簡便となる。
【００３４】
また、請求項４の発明に係る画像読取装置のプラテンガラス位置決め装置によれば、プラテンガラスを３箇所にて位置決めできるので、より確実にプラテンガラスの位置を一義的にすることができる。
【００３５】
また、請求項５の発明に係る画像読取装置のプラテンガラス位置決め装置によれば、ガイド手段をプラテンガラスに取り付ける作業が簡便となる。
【図面の簡単な説明】
【図１】この発明に係るプラテンガラスの位置決め装置を具備した画像読取装置の装置本体の平面図である。
【図２】図１に示す装置本体の正面図である。
【図３】図１に示す装置本体の左側面図である。
【図４】図１に示す装置本体の右側面図である。
【図５】筺体とプラテンガラスとを分解して示す平面図である。
【図６】プラテンガラスにガイド手段とガラス保持板とを取り付けた状態を示す平面図である。
【図７】図６に示すプラテンガラスの正面図である。
【図８】プラテンガラスとガイド手段とガラス保持板とを分解して示す平面図である。
【図９】この発明に係るプラテンガラス位置決め装置を備えるのに適した画像読取装置の概略を示す斜視図である。
【符号の説明】
１  画像読取装置
２  筺体
２ｂ  正面側天板
２ｃ  背面側天板
３  プラテンガラス
５  規制プレート
６  ガイドプレート（ガイド手段）
７  ガラス保持板（ガラス保持手段）
８  位置決めブロック（位置決め手段）
９  位置決め補助ブロック
【図１】
0004154642.tif 000002
【図２】
0004154642.tif 000003
【図３】
0004154642.tif 000004
【図４】
0004154642.tif 000005
【図５】
0004154642.tif 000006
【図６】
0004154642.tif 000007
【図７】
0004154642.tif 000008
【図８】
0004154642.tif 000009
【図９】
0004154642.tif 000010